(57)【要約】      （修正有）【課題】狭い場所でメートル器の交換を容易かつ迅速に行なうことのできる水道メートル器継手用アダプターを提供する。また、水道メートル器の継手の袋ナットに適用するための耐蝕性で耐久性に優れたアダプターを提供する。【解決手段】環状体１の内周部に六面２を設け、前記環状体１の外周部に多数の突部３を設けた水道メートル器継手用アダプターである。突部３を含む環状体１の表面には、電気絶縁性樹脂被膜を設けた。電気絶縁性樹脂被膜としては、アミノアルキッド樹脂の被膜が好ましい。【選択図】図１
0003133437.tif 000002
【実用新案登録請求の範囲】
【請求項１】
環状体の内周部に六面を設け、前記環状体の外周部に多数の突部を設けてなる水道メートル器継手用アダプターにおいて、
前記の突部を含む環状体の表面に電気絶縁性樹脂被膜を設けたこと、を特徴とする前記水道メートル器継手用アダプター。
【請求項２】
前記電気絶縁性樹脂被膜がアミノアルキッド樹脂被膜である、請求項１に記載の水道メートル器継手用アダプター。
【考案の詳細な説明】
【技術分野】
【０００１】
本考案は、水道メートル器の継手の袋ナットを締着したり弛める操作が容易で耐蝕性に優れたアダプターに関する。
【背景技術】
【０００２】
各家庭等において、水道のメートル器は、地中に埋設された狭いボックスの中で、配管と連結され収納されている。
ところで、水道のメートル器は、計量法により８年に１度交換しなければならない。
従来、水道のメートル器の交換は、狭いボックス内での作業であるので、水道配管とメートル器とを接続している継手の袋ナットを、例えばペンチやポンププライヤーを用いて少しずつ回転させて行っていた。
しかし、狭いボックス内での水道のメートル器の交換作業は、ペンチ等を回転させる十分なスペースがないため、困難でありしかも時間がかかる。
そこで、六角ナットに適用（装着）し、補助柄を用いてアダプターを装着した六角ナットを回転させて、水道のメートル器の着脱を容易化するため、環状体の内周部に六面を設け、前記環状体の外周部に多数の突部を設けた水道メートル器継手用アダプターが提案されている（特許文献１参照。）。
【特許文献１】実開平５−１６１４６号公報
【考案の開示】
【考案が解決しようとする課題】
【０００３】
しかしながら、特許文献１に開示された水道メートル器継手用アダプターは金属製であるため、金属製の補助柄をアダプターの突部に着脱させると、そのたびにこれらの間に電気が流れてアダプター突部が腐食し、その耐久性が問題となっている。
本考案は、狭い場所でメートル器の交換を容易かつ迅速に行なうことのできる、水道メートル器の継手の袋ナットに適用するための耐蝕性で耐久性に優れたアダプターを提供することを目的とする。
【課題を解決するための手段】
【０００４】
本考案のアダプター１００は、水道メートル器１１と継手本体１２とを連結する袋ナット１３に適用するためのものである。
すなわち本考案の水道メートル器継手用アダプター１００は、環状体１の内周部に六面２を設け、前記環状体１の外周部に多数の突部３を設け、かつ、前記の突部３を含む環状体１の表面に電気絶縁性樹脂被膜４を設けてなる。
【考案の効果】
【０００５】
本考案により、耐蝕性で耐久性に優れた水道メートル器継手用アダプター提供することができ、本考案の水道メートル器継手用アダプターを継手の袋ナットに適用して、狭いボックス内でのメートル器の交換作業をだれでも容易かつ迅速に行なうことが可能となった。
さらに、本考案の水道メートル器継手用アダプターは構造が簡単であるため、その製造が容易であり経済的である。
【考案を実施するための最良の形態】
【０００６】
以下に本考案の一実施例を図面に基ずいて説明する。
図１は、本考案の一実施例の水道メートル器継手用アダプターの平面図である。図２は、本考案の一実施例の水道メートル器継手用アダプターの側面図である。図３は、図１の水道メートル器継手用アダプターのＡ−Ａ線断面図である。図４は、水道メートル器ボックス内の配管に連続し、かつ本考案の水道メートル器継手用アダプターを適用した継手およびメートル器の平面図である。図５は、補助柄の断面図である。
【０００７】
本考案の水道メートル器継手用アダプター１００は、環状体１の内周部に六面２を設け、さらに前記環状体１の外周部に多数の突部３を設けてなる。
前記環状体１の内周部の六面２は、継手の六角袋ナット１３に適切に嵌合するように形成する。
前記環状体１の外周部の突部３にはパイプ等の補助柄例えば図５に示す補助柄をさし継いで、継手の袋ナット１３を締着したり弛める操作をくり返し行ない、メートル器を脱着させる。そのため前記突部３は、補助柄をさし継いで作動させた際、作動中に補助柄が離脱することなく、かつ補助柄を別の突部３にさし継ぐ際、補助柄の突部３からの離脱と他の突部３へのさし継ぎをスムーズに行なえる突起であればよい。
前記突部３は、袋ナット１３を効率よくスムーズに回転させるよう多数設ける。前記突部３の設置数は、突部３及びそれにさし継ぐ補助柄の径の大きさに依存するが、例えば１２個以上が好ましい。
【０００８】
前記の突部３を含む環状体１の表面には、電気絶縁性樹脂被膜４を設ける。電気絶縁性樹脂被膜４は、環状体１の突部３の金属部分と補助柄（金属）とが接触し電気が流れて突部３の金属部分が腐食するのを防止するため、電気絶縁性の樹脂被膜であり、具体的には、アミノアルキッド樹脂（メラミン樹脂）、エポキシ樹脂、ビニル樹脂などの被膜を挙げることができる。これらのうち、焼付け塗装などにより被覆作業が容易に行うことができ、強靭で電気絶縁性の高い、アミノアルキッド樹脂の被膜が好ましい。
【０００９】
次に、本考案の水道メートル器継手用アダプターを用いて、水道のメートル器の脱着操作について説明する。
図４に示すとおり、水道メートル器ボックス１５内では、水道配管１４と水道メートル器１１とが継手１２により連結されており、継手１２の袋ナット１３には本考案の水道メートル器継手用アダプター１００を適用する。
まず、本考案の水道メートル器継手用アダプター１００の突部３に補助柄をさし継ぐ。補助柄を水道メートル器ボックス１５内で可能な角度範囲だけ廻動させる。補助柄を突部３から離脱させ、他の突部３に再度さし継ぎ、さらに可能な角度範囲だけ補助柄を廻動させる。この操作をくり返して袋ナット１３を弛め、水道メートル器１１の一端をとりはずす。前記操作を他端についても行なって、水道メートル器１１をとりはずし、新しい水道メートル器１１と交換する。
前記操作を逆方向についてくり返して、袋ナット１３を締着し、新しい水道メートル器１１を水道配管１４と連結する。
【図面の簡単な説明】
【００１０】
【図１】本考案の一実施例の水道メートル器継手用アダプターの平面図である。
【図２】本考案の一実施例の水道メートル器継手用アダプターの側面図である。
【図３】図１の水道メートル器継手用アダプターのＡ−Ａ線断面図である。
【図４】水道メートル器ボックス内の本考案の一適用実施例の平面図である。
【図５】補助柄の断面図である。
【符号の説明】
【００１１】
１  環状体
２  六面
３  突部
４  電気絶縁性樹脂被膜
【図１】
0003133437.tif 000003
【図２】
0003133437.tif 000004
【図３】
0003133437.tif 000005
【図４】
0003133437.tif 000006
【図５】
0003133437.tif 000007